(57)【特許請求の範囲】
【請求項１】
車両に搭載され自装置の位置情報を検出すると共に外部のアクセスポイントからの電波を検出する車載装置と、前記車載装置と直接通信により通信可能な携帯端末装置と、前記車載装置の位置情報から特定されるエリアにおける電波状態を当該車載装置からの電波情報に基づいて判定するサーバ装置とを具備し、
前記車載装置は、前記携帯端末装置との直接通信による通信中における電波強度、パケットの再送率及びロス率の少なくとも１つに基づいて電波環境を示す数値を算出し、
前記サーバ装置は、前記車載装置から前記電波情報として、アクセスポイントからの電波で使用されるチャネル、周波数及び当該電波の強度を受信すると共に、前記車載装置と前記携帯端末装置との直接通信で使用されたチャネル、周波数及び前記電波環境を示す数値を受信し、前記車載装置と前記携帯端末装置とが直接通信により通信を行う場合、当該車載装置及び携帯端末装置が位置するエリアにおける電波状態に基づいて、前記車載装置と前記携帯端末装置との相互間で直接通信可能となるチャネル及び周波数を通知することを特徴とする無線通信システム。
【請求項２】
前記サーバ装置は、前記車載装置からの電波情報を受信すると、当該電波情報に含まれるチャネル及び周波数に対応する電波状態を更新することを特徴とする請求項１記載の無線通信システム。
【請求項３】
前記サーバ装置は、前記車載装置と前記携帯端末装置とが一定距離内に接近した場合に当該車載装置と携帯端末装置との間で直接通信による通信開始を指示すると共に、当該車載装置及び携帯端末装置が位置するエリアで直接通信を行う際に前記車載装置と前記携帯端末装置との相互間で直接通信可能となるチャネル及び周波数を通知することを特徴とする請求項１又は請求項２に記載の無線通信システム。
【請求項４】
前記サーバ装置は、前記車載装置及び携帯端末装置が位置するエリアにおけるチャネルの使用状態を管理することを特徴とする請求項１から請求項３のいずれかに記載の無線通信システム。
【請求項５】
前記サーバ装置は、前記車載装置と前記携帯端末装置との相互間で直接通信を行う際に最適となるチャネル及び周波数に加えて、電波環境を示す数値が相対的に低いチャネル及び周波数を通知することを特徴とする請求項１から請求項４のいずれかに記載の無線通信システム。
【請求項６】
車両に搭載され外部のアクセスポイントから検出される電波情報に基づいて複数のエリアにおける電波状態を判定する車載装置と、前記車載装置と直接通信により通信可能な携帯端末装置とを具備し、
前記車載装置は、前記電波情報として、アクセスポイントからの電波で使用されるチャネル、周波数及び当該電波の強度を検出すると共に、前記携帯端末装置との直接通信で使用されたチャネル及び周波数、並びに、当該直接通信による通信中における電波強度、パケットの再送率及びロス率の少なくとも１つに基づいて算出される電波環境を示す数値を検出し、前記携帯端末装置と直接通信により通信を行う際、自装置が位置するエリアにおける電波状態に基づいて、自装置と前記携帯端末装置との相互間で直接通信可能となるチャネル及び周波数を使用すると共に当該携帯端末装置に通知することを特徴とする無線通信システム。
【請求項７】
車両に搭載され自装置の位置情報を検出すると共に外部のアクセスポイントからの電波を検出する車載装置と、前記車載装置と直接通信により通信可能な携帯端末装置と接続されたサーバ装置であって、
前記車載装置から電波情報として、アクセスポイントからの電波で使用されるチャネル、周波数及び当該電波の強度を受信すると共に、前記車載装置と前記携帯端末装置との直接通信で使用されたチャネル及び周波数、並びに、当該直接通信による通信中における電波強度、パケットの再送率及びロス率の少なくとも１つに基づいて算出される電波環境を示す数値を受信する通信制御部と、前記車載装置の位置情報から特定されるエリアにおける電波状態を当該車載装置からの電波情報に基づいて判定する電波状態判定部と、前記車載装置と前記携帯端末装置とが一定距離内に接近した場合に当該車載装置と携帯端末装置との間で直接通信による通信開始を指示すると共に、当該車載装置及び携帯端末装置が位置するエリアで直接通信を行う際に前記車載装置と前記携帯端末装置との相互間で直接通信可能となるチャネル及び周波数を通知する直接通信指示部とを具備することを特徴とするサーバ装置。
【請求項８】
車両に搭載され自装置の位置情報を検出すると共に外部のアクセスポイントからの電波を検出する車載装置と、前記車載装置と直接通信により通信可能な携帯端末装置と接続されたサーバ装置における無線通信制御方法であって、
前記サーバ装置が、前記車載装置から電波情報として、アクセスポイントからの電波で使用されるチャネル、周波数及び当該電波の強度を受信すると共に、前記車載装置と前記携帯端末装置との直接通信で使用されたチャネル及び周波数、並びに、当該直接通信による通信中における電波強度、パケットの再送率及びロス率の少なくとも１つに基づいて算出される電波環境を示す数値を受信する工程と、前記車載装置の位置情報から特定されるエリアにおける電波状態を当該車載装置からの電波情報に基づいて判定する工程と、前記車載装置と前記携帯端末装置とが一定距離内に接近した場合に当該車載装置と携帯端末装置との間で直接通信による通信開始を指示すると共に、当該車載装置及び携帯端末装置が位置するエリアにおける電波状態に応じて直接通信を行う際に前記車載装置と前記携帯端末装置との相互間で直接通信可能となるチャネル及び周波数を通知する工程とを具備することを特徴とする無線通信制御方法。
【請求項９】
車両に搭載される車載装置と、前記車載装置と直接通信により通信可能な携帯端末装置とを用いた無線通信制御方法であって、
前記車載装置が、電波情報として、アクセスポイントからの電波で使用されるチャネル、周波数及び当該電波の強度を検出すると共に、前記車載装置と前記携帯端末装置との直接通信で使用されたチャネル及び周波数、並びに、当該直接通信による通信中における電波強度、パケットの再送率及びロス率の少なくとも１つに基づいて算出される電波環境を示す数値を検出する工程と、前記車載装置で外部のアクセスポイントから検出される電波に基づいて複数のエリアにおける電波状態を判定する工程と、前記携帯端末装置と直接通信により通信を行う際、前記車載装置が位置するエリアにおける電波状態に基づいて、前記車載装置と前記携帯端末装置との相互間で直接通信可能となるチャネル及び周波数を当該携帯端末装置に通知する工程と、当該チャネル及び周波数を用いて前記携帯端末装置と直接通信により通信を行う工程とを具備することを特徴とする無線通信制御方法。
【発明の詳細な説明】
【技術分野】
【０００１】
本発明は、無線通信システム、サーバ装置及び無線通信制御方法に関し、特に、携帯端末やカーナビゲーションシステムに代表される車載装置などの移動体間で直接的に通信を行う際の通信環境を向上する無線通信システム、サーバ装置及び無線通信制御方法に関する。
【背景技術】
【０００２】
近年、車載装置には、本来のナビゲーション機能を果たすカーナビゲーションシステムだけでなく、他の車両、歩行者などの移動体との通信や光ビーコンやＥＴＣに代表される路側装置との通信を備えてきている。例えば、車両に、外部のアクセスポイントとの間で無線ＬＡＮ通信により各種情報のやり取りを行う無線ＬＡＮ接続装置を搭載し、当該車両がアクセスポイントの通信エリアに入り込んだと判断した場合にそのアクセスポイントに合わせた通信形式を設定する無線通信接続装置が提案されている（例えば、特許文献１参照）。
【特許文献１】特開２００５−３２２９９９号公報
【発明の開示】
【発明が解決しようとする課題】
【０００３】
ところで、近年、無線ＬＡＮ通信は、オフィスや一般家庭などでも広く普及しており、オフィスビルや家屋など様々な場所にアクセスポイントが設置されている。このような環境下において、例えば、無線ＬＡＮ接続装置を搭載した車両等が、アクセスポイントの通信エリアに入り込むと、予定していないアクセスポイントからの電波を受信してしまい、所望の通信相手との無線ＬＡＮ通信を行うことができない事態が発生するという問題がある。
【０００４】
本発明は、かかる課題に鑑みてなされたものであり、無線通信のためのアクセスポイントが設置されている場合においても、所望の通信相手と適切に直接通信を行うことができる無線通信システム、サーバ装置及び無線通信制御方法を提供することを目的とする。
【課題を解決するための手段】
【０００５】
本発明の無線通信システムは、車両に搭載され自装置の位置情報を検出すると共に外部のアクセスポイントからの電波を検出する車載装置と、前記車載装置と直接通信により通信可能な携帯端末装置と、前記車載装置の位置情報から特定されるエリアにおける電波状態を当該車載装置からの電波情報に基づいて判定するサーバ装置とを具備し、前記車載装置は、前記携帯端末装置との直接通信による通信中における電波強度、パケットの再送率及びロス率の少なくとも１つに基づいて電波環境を示す数値を算出し、前記サーバ装置は、前記車載装置から前記電波情報として、アクセスポイントからの電波で使用されるチャネル、周波数及び当該電波の強度を受信すると共に、前記車載装置と前記携帯端末装置との直接通信で使用されたチャネル、周波数及び前記電波環境を示す数値を受信し、前記車載装置と前記携帯端末装置とが直接通信により通信を行う場合、当該車載装置及び携帯端末装置が位置するエリアにおける電波状態に基づいて、前記車載装置と前記携帯端末装置との相互間で直接通信可能となるチャネル及び周波数を通知することを特徴とする。
【発明の効果】
【０００６】
本発明による無線通信システム、サーバ装置及び無線通信制御方法によれば、車載装置の位置情報から特定されるエリアにおける電波状態が当該車載装置からの電波情報に基づいて判定される。そして、車載装置と携帯端末装置とが直接通信により通信を行う場合、当該車載装置及び携帯端末装置が位置するエリアで直接通信を行う際に車載装置と携帯端末装置との相互間で直接通信可能となるチャネル及び周波数が通知されることから、無線通信のためのアクセスポイントが設置されている場合においても、所望の通信相手と適切に直接通信を行うことが可能となる。
【発明を実施するための最良の形態】
【０００７】
以下、本発明の一実施の形態について添付図面を参照して詳細に説明する。
図１は、本発明の実施の形態に係る無線通信システムを説明するための概略構成を示す図である。図１に示す無線通信システムは、車載装置１を搭載した車両と、歩行者により携帯される携帯端末３と、車載装置１及び携帯端末３と移動通信網２を介して接続されたサーバ装置４とから主に構成されている。なお、車載装置１と携帯端末３とは、所定の条件下で直接的に通信（直接通信：Ｐ２Ｐ無線通信）を行うことが可能である。以下においては、車載装置１と携帯端末３との間における直接通信として、無線ＬＡＮ通信を用いる場合について説明する。
【０００８】
車載装置１は、ＧＰＳを搭載しており、ＧＰＳにより自装置の位置を測位することができ、定期的に位置情報をサーバ装置４に送信する。また、車載装置１は、無線ＬＡＮ接続装置を搭載しており、携帯端末３と無線ＬＡＮ通信を行うことが可能である。携帯端末３と無線ＬＡＮ通信を行う場合は、サーバ装置４から送信される無線ＬＡＮ通信を行うためのパラメータ（携帯端末３のＩＰアドレス、無線ＬＡＮにおける通信用のチャネル及び周波数）を利用する。車載装置１は、車両の走行中にアクセスポイントからの電波を検出すると、当該電波に関する情報（以下、「電波情報」という）をサーバ装置４に送信する。なお、この電波情報に含まれる情報については後述する。また、車載装置１は、携帯端末３と無線ＬＡＮ通信中に電波強度等の情報を受信すると、これらの情報に基づいて電波環境を示す数値（以下、「電波環境値」という）を算出する。
【０００９】
移動通信網２は、携帯端末３及び車載装置１と、サーバ装置４との間のネットワークである。この移動通信網２には、通常の移動通信網に加えて移動パケット通信網も含まれる。携帯端末３及び車載装置１と、サーバ装置４との間では移動通信網２を介する広域通信が行われる。一方、携帯端末３と車載装置１との間では移動通信網２を介することなく、直接通信（無線ＬＡＮ通信）が行われる。
【００１０】
携帯端末３は、ＧＰＳ（Global Positioning System）を搭載しており、ＧＰＳにより自装置の位置を測位することができ、定期的に位置情報をサーバ装置４に送信する。また、携帯端末３は、無線ＬＡＮ接続装置を搭載しており、車載装置１と無線ＬＡＮ通信を行うことが可能である。車載装置１と無線ＬＡＮ通信を行う場合は、サーバ装置４から送信される無線ＬＡＮ通信を行うためのパラメータ（車載装置１のＩＰアドレス、無線ＬＡＮにおける通信用のチャネル及び周波数）を利用する。また、携帯端末３は、車載装置１と無線ＬＡＮ通信を行っている間、車載装置１からの電波強度等を測定し、車載装置１に送信する。さらに、携帯端末３は、オペレーティングシステム（移動機ＯＳ）を有しており、移動機ＯＳ上でブラウザ機能、ビューワ機能、ＪＡＭ（Java（登録商標） Application Manager）その他の機能が動作する。
【００１１】
サーバ装置４は、車載装置１から電波情報を受信し、当該電波情報に基づいて特定されるエリアの電波状態を示す情報（以下、「電波状態情報」という）を管理する。また、車載装置１及び携帯端末３の位置情報に基づいて、両者が一定距離内に接近すると、当該車載装置１及び携帯端末３に対して無線ＬＡＮ通信の開始を指示する。この際、当該車載装置１及び携帯端末３の位置情報に対応するエリアにおいて車載装置１と携帯端末３との相互間で無線ＬＡＮ通信可能となる最適なチャネル及び周波数を判定し、携帯端末３及び車載装置１のＩＰアドレスと共に当該車載装置１及び携帯端末３に通知する。
【００１２】
このように、車載装置１から送信される電波情報に基づいて各種エリアの電波状態情報が管理されることから、各種エリアで無線ＬＡＮ通信を行う際に最適なチャネル及び周波数が把握される。そして、特定のエリア内において、車載装置１及び携帯端末３が一定距離内に接近すると、当該エリアで無線ＬＡＮ通信を行う際に最適なチャネル及び周波数が車載装置１及び携帯端末３に通知されることから、車両の走行するエリア内に無線通信のためのアクセスポイントが設置されている場合においても、所望の通信相手と適切に直接通信を行うことが可能となる。
【００１３】
なお、本実施の形態に係る無線通信システムにおいて、車載装置１と携帯端末３との間で直接通信により通信される情報としては、例えば、互いの位置情報等が考えられる。このように一定距離内に接近した車載装置１と携帯端末３との間で互いの位置情報を交換することにより、車両の運転者及び歩行者の注意を喚起することができ、車両と歩行者との接触事故等の発生を未然に防止することが可能となる。なお、車載装置１と携帯端末３との間で直接通信により通信される情報については、これに限定されるものでなく、適宜変更が可能である。
【００１４】
図２は、図１に示す車載装置１の概略構成を示すブロック図である。なお、図２に示す構成は、本発明を説明するために簡略化したものであり、通常の車載装置に搭載される構成要素は備えているものとする。この車載装置１は、カーナビゲーションシステムと通信機器とから構成されている。
【００１５】
車載装置１は、装置全体を制御する制御部１１と、移動通信網２を介してサーバ装置４との間で通信を行う通信制御部１２と、種々のデータや情報を表示する表示部１３と、自装置の位置を測位するＧＰＳ装置１４と、装置に搭載され、あるいはダウンロードされた種々のアプリケーションを起動するアプリ制御部１５と、外部からの電波の強度を測定する電波強度測定部１６と、直接通信（無線ＬＡＮ通信）によって他の端末装置（特に、携帯端末３）と通信を行う直接通信制御部１７とから主に構成されている。
【００１６】
通信制御部１２は、サーバ装置４に対して、検出した電波の電波情報を送信する。この電波情報には、自装置の位置情報、通信相手となるアクセスポイント又は携帯端末３の識別情報、当該電波で使用されたチャネル及び周波数、並びに、当該電波の強度（電波強度）を示す情報、或いは、電波環境値が含まれる。この電波情報は、例えば、電波を検出したタイミングで送信されるが、これに限定されず、適宜、異なるタイミングで送信されるようにしても良い。また、通信制御部１２は、サーバ装置４から直接通信（無線ＬＡＮ通信）の開始指示を受信する。この直接通信の開始指示には、車載装置１の位置情報に応じて無線ＬＡＮ通信を行う際に最適なチャネル情報及び周波数情報が含まれる。
【００１７】
ＧＰＳ装置１４は、ＧＰＳ用衛星（図示せず）を利用して車載装置１の現在位置（緯度、経度）を所定の精度で検出する。アプリ制御部１５は、装置に搭載され、あるいはダウンロードされた電波状態判定アプリケーションを起動させる。この車載装置１用の電波状態判定アプリケーションは、電波を検出したタイミングで電波情報をサーバ装置４に送信すると共に、サーバ装置４から通知されたチャネル情報及び周波数情報を用いて携帯端末３との間で無線ＬＡＮ通信を行うアプリケーションである。また、この車載装置１用の電波状態判定アプリケーションは、携帯端末３から電波強度等の情報を受信した場合に、電波環境値を算出するアプリケーションである。
【００１８】
電波強度測定部１６は、車両の走行するエリア付近のアクセスポイントから送出される電波の強度を測定する。電波強度測定部１６で測定された電波強度は、電波情報に含まれる。直接通信制御部１７は、サーバ装置４から受け付けた直接通信の開始指示で特定される携帯端末３との間で直接通信（無線ＬＡＮ通信）を行う。
【００１９】
図３は、図１に示す携帯端末３の概略構成を示すブロック図である。なお、図３に示す構成は、本発明を説明するために簡略化したものであり、通常の携帯端末に搭載される構成要素は備えているものとする。
【００２０】
携帯端末３は、装置全体を制御する制御部３１と、移動通信網２を介してサーバ装置４との間で通信を行う通信制御部３２と、種々のデータ入力を受け付ける入力部３３と、種々のデータや位置情報を表示する表示部３４と、自装置の位置を測位するＧＰＳ装置３５と、装置に搭載され、あるいはダウンロードされた種々のアプリケーションを起動するアプリ制御部３６と、外部からの電波の強度を測定する電波強度測定部３７と、直接通信（無線ＬＡＮ通信）によって他の端末装置（特に、車載装置１）と通信を行う直接通信制御部３８とから主に構成されている。
【００２１】
通信制御部３２は、サーバ装置４に対して、自装置の位置情報を送信する。また、通信制御部３２は、サーバ装置４から直接通信の開始指示を受信する。この直接通信の開始指示には、携帯端末３の位置情報に応じて無線ＬＡＮ通信を行う際に最適なチャネル情報及び周波数情報が含まれる。
【００２２】
ＧＰＳ装置３５は、ＧＰＳ用衛星（図示せず）を利用して携帯端末３の現在位置（緯度、経度）を所定の精度で検出する。ＧＰＳ装置３５は、測位した位置情報を表示部３４に出力する。アプリ制御部３６は、装置に搭載され、あるいはダウンロードされた電波状態判定アプリケーションを起動させる。この携帯端末３用の電波状態判定アプリケーションは、サーバ装置４から通知されたチャネル情報及び周波数情報を用いて車載装置１との間で直接通信（無線ＬＡＮ通信）を行うと共に、当該直接通信（無線ＬＡＮ通信）中における車載装置１からの電波強度、パケットの再送率及びロス率を測定し、車載装置１に送信するアプリケーションである。
【００２３】
電波強度測定部３７は、無線ＬＡＮ通信中に車載装置１から送出される電波の強度を測定する。直接通信制御部３８は、サーバ装置４から受け付けた直接通信の開始指示で特定される車載装置１との間で直接通信（無線ＬＡＮ通信）を行う。
【００２４】
図４は、図１に示すサーバ装置４の概略構成を示すブロック図である。なお、図４に示す構成は、本発明を説明するために簡略化したものであり、通常のサーバ装置に搭載される構成要素は備えているものとする。
【００２５】
サーバ装置４は、装置全体を制御する制御部４１と、移動通信網２を介して車載装置１や携帯端末３との間で通信を行う通信制御部４２と、車載装置１と携帯端末３との間で行われる無線ＬＡＮ通信における最適なチャネル及び周波数を判定する際に用いられる電波状態情報が登録される電波状態データベース（ＤＢ）４３と、装置に搭載され、あるいはダウンロードされた種々のアプリケーションを起動するアプリ制御部４４とから主に構成されている。
【００２６】
通信制御部４２は、車載装置１からの電波情報、並びに、携帯端末３からの位置情報を受信する。また、車載装置１及び携帯端末３に対して、両者間の直接通信（無線ＬＡＮ通信）の開始を指示する信号を送信する。この場合において、通信制御部４２は、当該無線ＬＡＮ通信で最適な通信を行うためのチャネル情報及び周波数情報を含める。
【００２７】
電波状態ＤＢ４３は、無線ＬＡＮ通信における電波状態の判定に用いられる電波状態情報が登録されるデータベースである。電波状態ＤＢ４３は、図５に示すような管理テーブルを有する。図５に示す管理テーブルにおいては、車載装置１から送信される位置情報に基づく緯度及び経度で特定されるエリア情報５１に対応して、電波情報を受信した日時情報５２、電波の送出元であるアクセスポイント（基地局装置）又は携帯端末３の識別情報５３、電波の送出に使用されたチャネル情報５４及び周波数情報５５、電波の強度を示す電波強度情報５６、並びに、電波環境値情報５７が登録される。
【００２８】
なお、図５に示す管理テーブルにおいて、識別情報５３にアクセスポイントのＭＡＣアドレス又は携帯端末３の電話番号を登録する場合について示しているが、これに限定されるものでなく、適宜変更が可能である。また、電波強度情報５６及び電波環境値情報５７には、「１．０」〜「１５．０」が登録されるものとする。電波強度情報５６及び電波環境値情報５７は、数値が大きくなる程、電波環境が良好であることを示すものとする。なお、図５に示す管理テーブルにおける管理項目や管理方法については、これに限定されるものではなく、適宜変更して実施することができる。
【００２９】
電波状態ＤＢ４３には、車載装置１が車両の走行中に検出した電波に基づく電波状態情報（例えば、図５に示すNo.１の電波状態情報）と、車載装置１と携帯端末３との間の無線ＬＡＮ通信中に検出した電波に基づく電波状態情報（例えば、図５に示すNo.１４の電波状態情報）とが登録されている。前者においては、電波強度情報５６及び電波環境値情報５７が登録される一方、後者においては、電波環境値情報５７のみが登録される。なお、前者における電波環境値情報５７には、電波強度情報５６に応じた数値が登録される。
【００３０】
例えば、図５に示すNo.１の電波状態情報においては、緯度「○○○〜△△△」及び経度「×××〜□□□」で特定されるエリア情報５１に対応して、「２００７／３／２０  １８：００」の日時情報５２、「０２：００：８６：０ａ：５ｃ：７８」の識別情報５３、「ＣＨ１」のチャネル情報５４、「２．４１２」ＧＨＺの周波数情報５５、並びに、「５．０」の電波強度情報５６及び電波環境値情報５７が登録されている。同様に、図５に示すNo.２〜No.１３の電波状態情報においては、チャネル情報５４、周波数情報５５、電波強度情報５６及び電波環境値情報５７の内容が異なる電波状態情報が登録されている。これは、２００７年３月２０日の当該エリアにおいては、チャネル１〜３の電波強度が弱く、チャネル４〜６の電波強度が通常で、チャネル１１〜１３の電波強度が強い旨を示している。
【００３１】
また、図５に示すNo.１４の電波状態情報においては、同一のエリア情報５１に対応して「２００７／３／２９  １９：２０」の日時情報５２、「０９０−ＡＡＡＡ−ＢＢＢＢ」の識別情報５３、「ＣＨ１１」のチャネル情報５４、「２．４６２」ＧＨＺの周波数情報５５、並びに、「１３．０」の電波環境値情報５７が登録されている。これは、当該エリアにおいて、周波数２．４６２であるチャネル１１を使用して無線ＬＡＮ通信を行った場合に電波環境値が１３．０（良好）であった旨を示している。同一のチャネルを示すNo.１１の電波状態情報に比べ、電波環境値情報５７が小さいのは当該無線ＬＡＮ通信におけるパケットの再送率又はロス率が考慮されるからである。
【００３２】
アプリ制御部４４は、装置に搭載され、あるいはダウンロードされた電波状態判定アプリケーションを起動させる。このサーバ装置４用の電波状態管理アプリケーションは、車載装置１から送信される電波情報に基づいて車両が走行する道路上に存在する各エリアの電波状態を判定するアプリケーションである。すなわち、この電波状態判定アプリケーションは、電波状態判定部として機能する。具体的には、車載装置１から送信される電波情報に含まれる位置情報、識別情報、チャネル情報、周波数情報、電波強度情報及び電波環境値情報に基づいて電波状態ＤＢ４３に登録される電波状態情報を更新する。
【００３３】
また、このサーバ装置４用の電波状態判定アプリケーションは、車載装置１と携帯端末３とが一定距離内に接近した場合に両者間における直接通信（無線ＬＡＮ通信）の開始を指示するアプリケーションである。すなわち、この電波状態判定アプリケーションは、直接通信指示部として機能する。直接通信の開始を指示する際、当該アプリケーションは、車載装置１と携帯端末３が存在するエリアにおいて、両者間における直接通信を行う際の最適なチャネル情報及び周波数情報を送信する。
【００３４】
次に、本実施の形態に係る無線通信システムにおける動作について図６〜図８を用いて説明する。図６〜図８は、本実施の形態に係る無線通信システムにおける動作を説明するためのシーケンス図である。図６は、車両の走行中に車載装置１でアクセスポイントからの電波を検出した場合の動作を示し、図７は、車載装置１と携帯端末３とで直接通信を行った場合の動作を示し、図８は、車載装置１と携帯端末３とで直接通信を行う場合に最適なチャネル情報及び周波数情報を通知する場合の動作を示している。なお、図６においては、車載装置１の周囲に携帯端末３は存在していないものとする。また、図７及び図８に示すシーケンスは、並行して行われるものとする。
【００３５】
本発明の無線通信システムにおいては、サーバ装置４において、車載装置１から送信される電波情報に基づいて特定されるエリアの電波状態情報を蓄積する一方、両者が一定距離内に接近すると、当該車載装置１及び携帯端末３に対して無線ＬＡＮ通信の開始を指示する。この際、当該車載装置１及び携帯端末３の位置情報に対応するエリアにおいて無線ＬＡＮ通信に用いる最適なチャネル及び周波数を判定し、携帯端末３及び車載装置１のＩＰアドレスと共に当該車載装置１及び携帯端末３に通知する。これにより、無線通信のためのアクセスポイントが設置されているエリアにおいても、最適なチャネル及び周波数を選択して所望の通信相手との適切な直接通信（無線ＬＡＮ通信）が実現される。
【００３６】
なお、以下においては、携帯端末３、車載装置１及びサーバ装置４において、それぞれアプリ制御部１６、アプリ制御部３５及びアプリ制御部４６で電波状態判定アプリケーションが起動しているものとして、それ以降の動作を説明する。また、サーバ装置４においては、現在の日時情報を把握できるように構成されているものとする。さらに、図４に示すように、電波状態ＤＢ４３は、サーバ装置４の構成要素であるが、説明の便宜上、図６〜図８においては、電波状態ＤＢ４３をサーバ装置４の外部に構成した場合について示している。
【００３７】
車両の周囲に歩行者が存在しない場合において、図６に示すように、車載装置１において、車両の走行中にアクセスポイントからの電波を検出すると、この電波を受信した位置情報、アクセスポイントの識別情報、電波の送出に利用されたチャネル情報及び周波数情報が取得されると共に、当該電波強度が測定される。そして、これらを情報が電波情報としてサーバ装置４に送信される（ＳＴ６１）。
【００３８】
電波情報を受信すると、サーバ装置４において、電波情報から位置情報が抽出され、当該位置情報を用いた電波状態情報の検索処理が行われる。具体的には、サーバ装置４から位置情報が電波状態ＤＢ４３に送信される（ＳＴ６２）。位置情報を受信すると、電波状態ＤＢ４３において、これに対応する電波状態情報が検索され、この電波状態情報に含まれるチャネル情報５４、周波数情報５５及び電波強度情報５６がサーバ装置４に送信される（ＳＴ６３）。
【００３９】
チャネル情報５４等を受信すると、サーバ装置４において、このチャネル情報５４等と、ＳＴ６１で受信したチャネル情報等と比較して電波強度情報５６を更新する処理（更新処理）を行う（ＳＴ６４）。この更新処理においては、ＳＴ６３で受信した電波強度情報５６及びＳＴ６１で受信した電波強度情報の新しさを考慮して、蓄積される電波強度情報を算出することが好ましい。例えば、それぞれの電波強度情報の新しさに応じた係数を掛けた後、それらを足し合わせた数値を２で割ることで得られる電波強度情報を蓄積することが考えられる。この場合、例えば、最新の情報には係数「１．０」を掛ける一方、１週間前の情報には係数「０．９５」を掛けることが考えられる。これは、過去の電波強度よりも最新の電波強度を電波強度情報５６に大きく反映させることを考慮したものである。
【００４０】
なお、ＳＴ６２で送信される位置情報を用いた電波状態情報の検索処理において、該当する電波状態情報が存在しない場合、更新処理は、ＳＴ６１で送信された電波情報のみに基づいて行われる。この場合には、当該電波情報の内容が維持された状態で電波状態ＤＢ４３に登録されることとなる。
【００４１】
そして、更新処理を終えた後、サーバ装置４から電波状態ＤＢ４３に対して更新後のチャネル情報５４等が送信される（ＳＴ６５）。この更新後のチャネル情報５４等を受信すると、電波状態ＤＢ４３において、更新後のチャネル情報等が電波状態情報として登録される。このとき、電波環境値情報５７には、電波強度情報５６に応じた数値が登録される。このように、車載装置１が車両の走行中に検出した電波情報をサーバ装置４に送信し、サーバ装置４において、電波情報に応じて電波状態情報が更新されていくことで、各エリアにおける電波強度の良好なチャネル情報及び周波数情報、或いは、電波強度が劣悪なチャネル情報及び周波数情報が把握されることとなる。
【００４２】
一方、車両の周囲に歩行者が存在する場合において、図７に示すように、サーバ装置４から当該車載装置１及び携帯端末３に対して直接通信の開始が指示されると、車載装置１及び携帯端末３において無線ＬＡＮ通信が行われる。なお、このようなサーバ装置４からの直接通信の開始指示に関連する動作については図８を用いて説明する。携帯端末３においては、この無線ＬＡＮ通信を行っている間、車載装置１からの電波強度が測定されると共に、パケットの再送率及びロス率が測定され、車載装置１に対して送信される（ＳＴ７１）。
【００４３】
車載装置１においては、携帯端末１から受信した電波強度、パケットの再送率及びロス率に基づいて、電波環境値を算出する（ＳＴ７２）。例えば、車載装置１は、受信した電波強度から、パケットの再送率及びロス率に応じた数値を差し引くことで、電波環境値を算出する。そして、電波環境値を算出した後、車載装置１からサーバ装置４に対して、電波環境値を含む電波情報が送信される（ＳＴ７３）。具体的には、携帯端末３と無線ＬＡＮ通信を行った位置情報、携帯端末３の識別情報、無線ＬＡＮ通信で使用したチャネル情報、周波数情報及び電波環境値が送信される。
【００４４】
電波情報を受信すると、サーバ装置４において、電波情報から位置情報が抽出され、当該位置情報を用いた電波状態情報の検索処理が行われる。具体的には、サーバ装置４から位置情報が電波状態ＤＢ４３に送信される（ＳＴ７４）。位置情報を受信すると、電波状態ＤＢ４３において、これに対応する電波状態情報が検索され、この電波状態情報に含まれるチャネル情報５４、周波数情報５５及び電波環境値情報５７がサーバ装置４に送信される（ＳＴ７５）。
【００４５】
チャネル情報５４等を受信すると、サーバ装置４において、このチャネル情報５４等と、ＳＴ７３で受信したチャネル情報等と比較して電波環境値情報５７を更新する処理（更新処理）を行う（ＳＴ７６）。この更新処理においては、図６に示す更新処理と同様の要領で、ＳＴ７５で受信した電波環境値情報５７及びＳＴ７３で受信した電波環境値の新しさを考慮して、蓄積される電波環境値を算出することが好ましい。例えば、それぞれの電波環境値情報の新しさに応じた係数を掛けた後、それらを足し合わせた数値を２で割ることで得られる電波環境値を蓄積することが考えられる。これは、過去の電波環境値よりも最新の電波環境値を電波環境値情報５７に大きく反映させることを考慮したものである。
【００４６】
なお、ＳＴ７４で送信される位置情報を用いた電波状態情報の検索処理において、該当する電波状態情報が存在しない場合、更新処理は、ＳＴ７３で送信された電波情報のみに基づいて行われる。この場合には、当該電波情報の内容が維持された状態で電波状態ＤＢ４３に登録されることとなる。
【００４７】
そして、更新処理を終えた後、サーバ装置４から電波状態ＤＢ４３に対して更新後のチャネル情報５４等が送信される（ＳＴ７７）。この更新後のチャネル情報５４等を受信すると、電波状態ＤＢ４３において、更新後のチャネル情報等が電波状態情報として登録される。このように、車載装置１と携帯端末３との間の無線ＬＡＮ通信中の電波情報をサーバ装置４に送信し、サーバ装置４において、電波情報に応じて電波状態情報が更新されていくことで、各エリアにおける電波環境値の良好なチャネル情報及び周波数情報、或いは、電波環境値が劣悪なチャネル情報及び周波数情報が把握されることとなる。
【００４８】
上述のように、サーバ装置４から車載装置１及び携帯端末３に直接通信を指示する場合には、両者の位置情報に応じたエリアにおける無線ＬＡＮ通信で最適なチャネル情報及び周波数情報が車載装置１と携帯端末３に送信される。具体的には、車載装置１と携帯端末３の位置情報に応じて両者の一定距離内の接近を検出すると、電波状態ＤＢ４３に蓄積された電波状態情報に基づいて車載装置１及び携帯端末３の位置情報に応じたエリアにおける無線ＬＡＮ通信で最適なチャネル情報及び周波数情報が判定され、車載装置１と携帯端末３に送信される。以下、このような場合における動作について図８を用いて説明する。図８において、車載装置１及び携帯端末３は、一定距離内に接近しているものとする。
【００４９】
図８に示すように、本実施の形態に係る無線通信システムにおいては、所定のタイミングで車載装置１からサーバ装置４に位置情報が送信される（ＳＴ８１）。位置情報を受信すると、サーバ装置４において、この位置情報を用いた電波状態情報の検索処理が行われる。具体的には、サーバ装置４から位置情報が電波状態ＤＢ４３に送信される（ＳＴ８２）。位置情報を受信すると、電波状態ＤＢ４３において、これに対応する電波状態情報が検索され、この電波状態情報に含まれるチャネル情報５４、周波数情報５５及び電波環境値情報５７がサーバ装置４に送信される（ＳＴ８３）。
【００５０】
チャネル情報５４等を受信すると、サーバ装置４において、最適なチャネル情報５４及び周波数情報５５が選択され、車載装置１に送信される（ＳＴ８４）。これにより、車載装置１の属するエリアにおいて無線ＬＡＮ通信を行う際に最適なチャネル情報５４及び周波数情報５５が、車載装置１で把握されることとなる。
【００５１】
一方、本実施の形態に係る無線通信システムにおいては、所定のタイミングで携帯端末３からサーバ装置４に位置情報が送信される（ＳＴ８５）。位置情報を受信すると、サーバ装置４において、この位置情報を用いた電波状態情報の検索処理が行われる。具体的には、サーバ装置４から位置情報が電波状態ＤＢ４３に送信される（ＳＴ８６）。位置情報を受信すると、電波状態ＤＢ４３において、これに対応する電波状態情報が検索され、この電波状態情報に含まれるチャネル情報５４、周波数情報５５及び電波環境値情報５７がサーバ装置４に送信される（ＳＴ８７）。
【００５２】
チャネル情報５４等を受信すると、サーバ装置４において、最適なチャネル情報５４及び周波数情報５５が選択され、携帯端末３に送信される（ＳＴ８８）。これにより、携帯端末３の属するエリアにおいて無線ＬＡＮ通信を行う際に最適なチャネル情報５４及び周波数情報５５が、携帯端末３で把握されることとなる。
【００５３】
そして、車載装置１及び携帯端末３の双方で把握したチャネル情報５４及び周波数情報５５を用いて無線ＬＡＮ通信を行うことにより、車載装置１及び携帯端末３が属するエリアで最適なチャネル及び周波数を用いて無線ＬＡＮ通信を行うことができる。これにより、無線通信のためのアクセスポイントが設置されているエリアにおいても、最適なチャネル及び周波数を選択して所望の通信相手との適切に無線ＬＡＮ通信を行うことが可能となる。
【００５４】
このように本実施の形態に係る無線通信システムにおいては、車載装置１の位置情報から特定されるエリアにおける電波状態が当該車載装置１からの電波情報に基づいて判定される。そして、車載装置１と携帯端末３とが直接通信により通信を行う場合、当該車載装置１及び携帯端末３が位置するエリアにおける電波状態に応じて最適なチャネル情報及び周波数情報が通知されることから、車両が走行する道路上に存在するエリアに応じて最適なチャネル及び周波数を用いて直接通信により通信を行うことができるので、無線通信のためのアクセスポイントが設置されている場合においても、所望の通信相手と適切に直接通信を行うことが可能となる。
【００５５】
特に、本実施の形態に係る無線通信システムにおいて、サーバ装置４は、車載装置１と携帯端末３とが一定距離内に接近した場合に車載装置１と携帯端末３との間で直接通信による通信開始を指示すると共に、車載装置１及び携帯端末３が位置するエリアで直接通信を行う際に最適なチャネル及び周波数を通知する。これにより、車載装置１を搭載した車両が走行している場合において、常に最適なチャネル及び周波数を用いて携帯端末３との間で直接通信による通信を行うことが可能となる。
【００５６】
また、本実施の形態に係る無線通信システムにおいて、サーバ装置４は、電波情報として、アクセスポイントからの電波で使用されるチャネル及び周波数、並びに、当該電波の強度を車載装置１から受信している。このように、アクセスポイントからの電波で使用されるチャネル及び周波数、並びに、当該電波の強度が電波情報として受信されることから、当該アクセスポイントに対応するエリアで直接通信を行う際に最適なチャネル及び周波数を適切に特定することが可能となる。
【００５７】
また、本実施の形態に係る無線通信システムにおいては、車載装置１が、携帯端末３との直接通信による通信中における電波強度、パケットの再送率及びロス率に基づいて電波環境値を算出し、サーバ装置４が、電波情報として、携帯端末３との直接通信で使用されたチャネル及び周波数、並びに、電波環境値を車載装置１から受信している。このように、携帯端末３との直接通信で使用されたチャネル及び周波数、並びに、電波強度やパケットの再送率等を加味した電波環境値が電波情報として受信されることから、携帯端末３と直接通信により通信を行った場合の情報から当該エリアで直接通信を行う際に最適なチャネル及び周波数を適切に特定することが可能となる。
【００５８】
さらに、本実施の形態に係る無線通信システムにおいて、サーバ装置４は、車載装置１からの電波情報を受信すると、当該電波情報に含まれるチャネル及び周波数に対応する電波状態を更新する。このように電波情報の受信に応じて、当該電波情報に含まれるチャネル及び周波数に対応する電波状態が更新されることから、常に最新の電波情報に基づいた各エリアにおける電波状態を判定することが可能となる。
【００５９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００６０】
例えば、上記実施の形態においては、車載装置１及び携帯端末３が一定距離内に接近すると、対応するエリアにおいて無線ＬＡＮ通信を行う際に最適なチャネル情報及び周波数情報を両者に通知する場合について示している。しかし、車載装置１及び携帯端末３に通知されるチャネル情報及び周波数情報については、これに限定されるものではなく、適宜変更が可能である。例えば、無線ＬＡＮ通信を行う際に最適なチャネル情報及び周波数情報に加えて、電波環境値（電波強度）が低いチャネル情報及び周波数情報を通知するようにしても良い。この場合には、電波環境値が低いチャネル及び周波数における出力電力の低減や、出力頻度の低減などの調整を行うことにより、周囲の電波環境の劣化を防止することが可能となる。
【００６１】
また、上記実施の形態においては、サーバ装置４が、車載装置１の位置情報から特定されるエリアにおける電波状態を当該車載装置１からの電波情報に基づいて判定し、車載装置１と携帯端末３とが直接通信により通信を行う場合、当該車載装１置及び携帯端末３が位置するエリアにおける電波状態に応じて最適なチャネル及び周波数を通知する場合について説明しているが、本発明に係る無線通信システムの構成については、これに限定されるものではなく適宜変更が可能である。例えば、サーバ装置４と同等の機能を車載装置１に具備させ、車載装置１及び携帯端末３のみで本発明に係る無線通信システムを実現するようにしても良い。この場合、車載装置１は、上述した電波状態ＤＢ４３の機能を備えると共に、自装置で検出する電波情報に基づいて車両が走行する道路上に存在する各エリアの電波状態を判定する機能と、自装置が携帯端末３と一定距離内に接近した場合に両者間における直接通信（無線ＬＡＮ通信）の開始を指示する機能とを備える。
【００６２】
このように車載装置１にサーバ装置４と同等の機能を具備させる場合には、車載装置１で外部のアクセスポイントから検出される電波に基づいて複数のエリアにおける電波状態が判定される。そして、携帯端末３と直接通信により通信を行う場合、車載装置１が位置するエリアにおける電波状態に応じて最適なチャネル及び周波数が使用されると共に携帯端末３に通知される。この場合においても、上記実施の形態と同様に、車両が走行する道路上に存在するエリアに応じて最適なチャネル及び周波数を用いて直接通信により通信を行うことができるので、無線通信のためのアクセスポイントが設置されている場合においても、所望の通信相手と適切に直接通信を行うことが可能となる。
【００６３】
なお、この場合には、車載装置１で個別に各エリアにおける電波状態情報を管理する必要があるものの、管理対象となる電波状態情報は、搭載される車両がよく走行するエリアにおける電波状態情報に限定されると考えられるため、極めて大きな負荷となることはないと考えられる。
【００６４】
また、上記実施の形態においては、サーバ装置４が、車載装１置及び携帯端末３が位置するエリアにおける電波状態に応じて最適なチャネルを管理する場合について説明しているが、サーバ装置４が管理する対象については、これに限定されるものではなく適宜変更が可能である。例えば、車載装置１及び携帯端末３が位置するエリアにおける最適なチャネルに加えて、当該エリアにおけるチャネルの使用状態を管理するようにしても良い。特に、この場合には、未使用のチャネルの電波状態を一緒に管理することが好ましい。
【００６５】
例えば、あるエリアで未使用のチャネルが１つ存在するものとする。ここでは、最適なチャネルが未使用のチャネルであるものとする。この場合において、当該エリアに車両が進入すると、サーバ装置４は、上記未使用のチャネルを当該車両に搭載される車載装置１と携帯端末３との間の直接通信に割り当てる。そして、当該エリアから車両が退出すると、割り当てたチャネルを解放する。なお、割り当てている途中で他の車両が当該エリアに進入してきた場合、サーバ装置４は、未使用のチャネルが存在しないため、チャネルを割り当てることはない。
【００６６】
また、例えば、あるエリアで未使用のチャネルが２つ存在するものとする。ここでは、最適なチャネルを含む未使用のチャネルが２つ存在するものとする。この場合において、当該エリアに車両が進入すると、サーバ装置４は、上記未使用のチャネルの一方（最適なチャネル）を当該車両に搭載される車載装置１と携帯端末３との間の直接通信に割り当てる。このとき、他の車両が当該エリアに進入してくると、サーバ装置４は、上記未使用のチャネルの他方を当該他の車両に搭載される車載装置１と携帯端末３との間の直接通信に割り当てる。なお、これらの車両の少なくとも一方が当該エリアから退出しない限り、更に他の車両が当該エリアに進入した場合においても、サーバ装置４は、未使用のチャネルが存在しないため、チャネルを割り当てることはない。なお、このように未使用のチャネルを順番に割り当てる際、サーバ装置４は、電波状態が良好なチャネルから割り当てる。
【００６７】
このように車載装置１及び携帯端末３が位置するエリアにおけるチャネルの使用状態を管理するようにした場合には、各エリアにおける未使用のチャネルを把握することができるので、車載装置１と携帯端末３との間で直接通信を行う際に確実に未使用のチャネルを割り当てることが可能となる。
【００６８】
さらに、上記実施の形態においては、車載装置１が外部のアクセスポイントからの電波を検出し、これに基づく電波情報からサーバ装置４で各エリアにおける電波状態を判定し、直接通信により通信を行う車載装置１及び携帯端末３に対して当該エリアにおける電波状態に応じて最適なチャネル及び周波数を通知する場合について説明している。しかしながら、サーバ装置４と共に、或いは、サーバ装置４に代わって特定のアクセスポイントから、当該アクセスポイントの近傍に存在する車載装置１及び携帯端末３に対して、各エリアにおける電波状態に応じて最適なチャネル及び周波数を通知することは実施の形態として好ましい。この場合には、サーバ装置４における処理負担を軽減しつつ、上記実施の形態に係る無線通信システムと同様の効果を得ることが可能となる。
【００６９】
なお、この場合には、特定のアクセスポイントがサーバ装置４と同様に、電波状態情報を取得し管理する必要があるが、その取得方法については、特に限定されるものではなく、いかなる方法を採用しても良い。例えば、サーバ装置４から所定のタイミングで特定の電波状態情報を受信することが考えられる。また、この場合には、車載装置１が特定のアクセスポイントと一時的に通信を行うことが必要となる。基本的に車載装置１は、任意のアクセスポイントと通信を行うことはないが、予め定められた特定のアクセスポイントとのみ一時的に通信を行うように設定しておくことで、サーバ装置４における処理負担を軽減することができるという優れた効果を得ることが可能となる。
【００７０】
また、上記実施の形態においては、携帯端末３を携帯する歩行者と、車載装置１を搭載する車両との関係について説明している。しかし、本発明に係る無線通信システムは、このような場合に限定されるものではなく、車載装置１を搭載する車両同士、或いは、携帯端末３を携帯する歩行者同士の間にも適用することが可能である。
【００７１】
さらに、上記実施の形態においては、携帯端末３を携帯する歩行者について説明しているが、この歩行者には自転車に乗った者を含むものとする。このように自転車に乗った者を歩行者に含むことにより、自転車に乗った者が携帯する携帯端末３と、車両に搭載される車載装置１との間においても、最適なチャネル及び周波数を選択して所望の通信相手との適切に無線ＬＡＮ通信を行うことが可能となる。
【００７２】
本実施の形態に係るサーバ装置４は、車両に搭載され自装置の位置情報を検出すると共に外部のアクセスポイントからの電波を検出する車載装置１と、車載装置１と直接通信により通信可能な携帯端末３と接続されたサーバ装置４であって、車載装置１の位置情報から特定されるエリアにおける電波状態を当該車載装置１からの電波情報に基づいて判定する電波状態判定部と、車載装置１と携帯端末３とが一定距離内に接近した場合に当該車載装置１と携帯端末３との間で直接通信による通信開始を指示すると共に、当該車載装置１及び携帯端末３が位置するエリアで直接通信を行う際に最適なチャネル及び周波数を通知する直接通信指示部とを具備している。
【００７３】
本実施の形態に係るサーバ装置４によれば、車載装置１の位置情報から特定されるエリアにおける電波状態が当該車載装置１からの電波情報に基づいて判定される。そして、車載装置１と携帯端末３とが直接通信により通信を行う場合、当該車載装置１及び携帯端末３が位置するエリアで直接通信を行う際に最適なチャネル及び周波数が通知されることから、車両が走行する道路上に存在するエリアに応じて最適なチャネル及び周波数を用いて直接通信により通信を行うことができるので、無線通信のためのアクセスポイントが設置されている場合においても、所望の通信相手と適切に直接通信を行うことが可能となる。特に、車載装置１と携帯端末３とが一定距離内に接近した場合に両者間における直接通信の開始が指示されると共に、当該直接通信を行う際に最適なチャネル及び周波数が通知されることから、車両が走行している場合において、常に最適なチャネル及び周波数を用いて直接通信による通信を行うことが可能となる。
【００７４】
本実施の形態に係る無線通信制御方法は、車両に搭載され自装置の位置情報を検出すると共に外部のアクセスポイントからの電波を検出する車載装置１と、車載装置１と直接通信により通信可能な携帯端末３と接続されたサーバ装置４における無線通信制御方法であって、車載装置１の位置情報から特定されるエリアにおける電波状態を当該車載装置１からの電波情報に基づいて判定する工程と、車載装置１と携帯端末３とが一定距離内に接近した場合に当該車載装置１と携帯端末３との間で直接通信による通信開始を指示すると共に、当該車載装置１及び携帯端末３が位置するエリアにおける電波状態に応じて直接通信を行う際に最適なチャネル及び周波数を通知する工程とを具備している。
【００７５】
本実施の形態に係る無線通信制御方法によれば、車載装置１の位置情報から特定されるエリアにおける電波状態が当該車載装置１からの電波情報に基づいて判定される。そして、車載装置１と携帯端末３とが直接通信により通信を行う場合、当該車載装置１及び携帯端末３が位置するエリアで直接通信を行う際に最適なチャネル及び周波数が通知されることから、車両が走行する道路上に存在するエリアに応じて最適なチャネル及び周波数を用いて直接通信により通信を行うことができるので、無線通信のためのアクセスポイントが設置されている場合においても、所望の通信相手と適切に直接通信を行うことが可能となる。特に、車載装置１と携帯端末３とが一定距離内に接近した場合に両者間における直接通信の開始が指示されると共に、当該直接通信を行う際に最適なチャネル及び周波数が通知されることから、車両が走行している場合において、常に最適なチャネル及び周波数を用いて直接通信による通信を行うことが可能となる。
【００７６】
なお、上記実施の形態に係る無線通信制御方法においては、サーバ装置４が、車載装置１の位置情報から特定されるエリアにおける電波状態を当該車載装置１からの電波情報に基づいて判定し、車載装置１と携帯端末３とが直接通信により通信を行う場合、当該車載装１置及び携帯端末３が位置するエリアにおける電波状態に応じて最適なチャネル及び周波数を通知する場合について説明しているが、無線通信制御方法については、これに限定されるものではなく適宜変更が可能である。例えば、サーバ装置４と同等の機能を車載装置１に具備させ、車載装置１及び携帯端末３のみで本無線通信制御方法を実現するようにしても良い。この場合、車載装置１は、上述した電波状態ＤＢ４３の機能を備えると共に、自装置で検出する電波情報に基づいて車両が走行する道路上に存在する各エリアの電波状態を判定する機能と、自装置が携帯端末３と一定距離内に接近した場合に両者間における直接通信（無線ＬＡＮ通信）の開始を指示する機能とを備える。
【００７７】
このように車載装置１にサーバ装置４と同等の機能を具備させる場合には、車載装置１で外部のアクセスポイントから検出される電波に基づいて複数のエリアにおける電波状態が判定される。そして、携帯端末３と直接通信により通信を行う場合、車載装置１が位置するエリアにおける電波状態に応じて最適なチャネル及び周波数が使用されると共に携帯端末３に通知される。この場合においても、上記実施の形態と同様に、車両が走行する道路上に存在するエリアに応じて最適なチャネル及び周波数を用いて直接通信により通信を行うことができるので、無線通信のためのアクセスポイントが設置されている場合においても、所望の通信相手と適切に直接通信を行うことが可能となる。
【図面の簡単な説明】
【００７８】
【図１】本発明の一実施の形態に係る無線通信システムを説明するための概略構成を示す図である。
【図２】図１に示すシステムにおける車載装置の概略構成を示すブロック図である。
【図３】図１に示すシステムにおける携帯端末の概略構成を示すブロック図である。
【図４】図１に示すシステムにおけるサーバ装置の概略構成を示すブロック図である。
【図５】上記実施の形態に係るサーバ装置の電波状態データベースにおける管理テーブルの例を示す図である。
【図６】上記実施の形態に係る無線通信システムにおける動作を説明するためのシーケンス図である。
【図７】上記実施の形態に係る無線通信システムにおける動作を説明するためのシーケンス図である。
【図８】上記実施の形態に係る無線通信システムにおける動作を説明するためのシーケンス図である。
【符号の説明】
【００７９】
１  車載装置
２  移動通信網
３  携帯端末
４  サーバ装置
１１、３１、４１  制御部
１２、３２、４２  通信制御部
１３、３４  表示部
１４、３５  ＧＰＳ装置
１５、３６、４４  アプリ制御部
１６、３７  電波強度測定部
１７、３８  直接通信制御部
３３  入力部
４３  電波状態ＤＢ
【図１】
0004976215.tif 000002
【図２】
0004976215.tif 000003
【図３】
0004976215.tif 000004
【図４】
0004976215.tif 000005
【図５】
0004976215.tif 000006
【図６】
0004976215.tif 000007
【図７】
0004976215.tif 000008
【図８】
0004976215.tif 000009